(57)【要約】【課題】  書き込み速度が異なる２種類の光記録媒体における互換性の問題を解決し、幅広い線速域に対応できる光記録媒体を提供することにある。【解決手段】  ＤＶＤ−ＲＡＭの物理フォーマットを形成し、２倍速〜５倍速の書き込み速度情報が格納された基板１１上に、他の層を介してＢｉ7Ｇｅ43Ｔｅ50（ａｔ．％）を含む記録層１４を設けた第１ディスク１０と、ＤＶＤ−ＲＡＭの物理フォーマットを形成し、且つ、６倍速〜１６倍速の書き込み速度情報が格納された基板２１上に、他の層を介してＢｉ12Ｇｅ38Ｔｅ50（ａｔ．％）を含む記録層２４を設けた第２ディスク２０とを、接着層１１０により貼り合わせた光記録媒体１００。【選択図】  図１
2006338800.tif 000002
【特許請求の範囲】
【請求項１】
所定の物理フォーマットを形成し、第１の書き込み速度情報が格納された第１の基板上に、直接または他の層を介して第１の相変化記録層を設けた第１のディスク基板と、
前記第１の基板と同一の物理フォーマットを形成し、且つ、当該第１の基板と異なる第２の書き込み速度情報が格納された第２の基板上に、直接または他の層を介して第２の相変化記録層を設けた第２のディスク基板と、
前記第１の相変化記録層及び前記第２の相変化記録層が内側になるように、前記第１のディスク基板及び前記第２のディスク基板を貼り合わせる接着層と、を有することを特徴とする光記録媒体。
【請求項２】
前記物理フォーマットがＤＶＤ−ＲＡＭであることを特徴とする請求項１記載の光記録媒体。
【請求項３】
前記第１の書き込み速度情報が２倍速〜５倍速に対応し、前記第２の書き込み速度情報が６倍速〜１６倍速に対応することを特徴とする請求項２記載の光記録媒体。
【請求項４】
前記第１の書き込み速度情報が２倍速〜５倍速に対応し、前記第２の書き込み速度情報が６倍速〜１２倍速に対応することを特徴とする請求項２記載の光記録媒体。
【請求項５】
第１の書き込み速度情報が２倍速〜５倍速に対応し、前記第２の書き込み速度情報が６倍速〜１０倍速に対応することを特徴とする請求項２記載の光記録媒体。
【請求項６】
前記物理フォーマットがＤＶＤ−ＲＷであることを特徴とする請求項１記載の光記録媒体。
【請求項７】
同一の物理フォーマットを形成し、それぞれ相変化記録層を設けた２枚の基板を貼り合わせた両面２層ディスク型の光記録媒体であって、
前記２枚の基板にそれぞれ格納された書き込み速度情報が異なることを特徴とする光記録媒体。
【請求項８】
前記物理フォーマットがＤＶＤ−ＲＡＭ規格に基づき形成され、前記相変化記録層がＢｉＧｅＴｅ合金を含むことを特徴とする請求項７記載の光記録媒体。
【請求項９】
前記物理フォーマットがＤＶＤ−ＲＡＭ規格に基づき形成され、前記２枚の基板の中、一方の基板に格納された前記書き込み速度情報が２倍速〜５倍速に対応し、他方の基板に格納された前記書き込み速度情報が６倍速〜１６倍速に対応することを特徴とする請求項７記載の光記録媒体。
【請求項１０】
両面２層ディスク型の光記録媒体であって、
ＤＶＤ−ＲＡＭの物理フォーマットを形成した基板上に、他の層を介して８．１６（ｍ／ｓ）〜２１．２３（ｍ／ｓ）の情報の書き込み速度に対応する相変化記録層を設けた第１のディスク基板と、
前記第１のディスク基板と同一の物理フォーマットを形成した基板上に、他の層を介して前記情報の書き込み速度より大きい第２の書き込み速度に対応する相変化記録層を設けた第２のディスク基板と、を有し、
前記第１のディスク基板と前記第２のディスク基板とを貼り合わせることを特徴とする光記録媒体。
【請求項１１】
前記第２の書き込み速度が、２４．４８（ｍ／ｓ）〜６７．９２（ｍ／ｓ）であることを特徴とする請求項１０記載の光記録媒体。
【請求項１２】
前記相変化記録層がＢｉＧｅＴｅ合金を含むことを特徴とする請求項１０記載の光記録媒体。
【発明の詳細な説明】
【技術分野】
【０００１】
本発明は光記録媒体に関し、より詳しくは、幅広い線速域に対応できる光記録媒体に関する。
【背景技術】
【０００２】
近年、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）等の各種光記録媒体は、大容量の情報を記録できるために広く認知され普及している。光記録媒体には、１回限りの追記が可能な追記型光記録媒体と、繰り返して書き込みが可能な書換型光記録媒体とが開発されている。追記型光記録媒体では、有機色素化合物を含む記録層にレーザ光を集光し、有機色素化合物を発熱分解するとともに隣接する基板表面及び反射層を変形させて記録マークが形成される。このような追記型光記録媒体としては、ＤＶＤ−Ｒ／＋Ｒ（ＤＶＤ−Ｒｅｃｏｒｄａｂｌｅ）等が挙げられる。書換型光記録媒体では、ＧｅＳｂＴｅ等の相変化材料を含む記録層を備えている。この記録層にレーザ光を照射することにより、相変化材料の原子配列がアモルファス相−結晶相間で可逆的に変化し、このような２つの異なる原子配列の状態により情報が記録される。相変化材料を用いた書換型光記録媒体は、特に安価であるので民生用への普及が著しく、とりわけ家庭用ビデオ録画媒体等としての普及が急速に伸びつつある（特許文献１参照）。このような追記型光記録媒体としては、ＤＶＤ−ＲＷ（ＤＶＤ−ＲｅＷｒｉｔａｂｌｅ）、ＤＶＤ−ＲＡＭ（ＤＶＤ−Ｒａｎｄｏｍ  Ａｃｃｅｓ  Ｍｅｍｏｒｙ）が挙げられる。
【０００３】
【特許文献１】特開２００５−０３８５６８号公報
【発明の開示】
【発明が解決しようとする課題】
【０００４】
ところで、最近では、ハードディスク付きのＤＶＤレコーダが普及し、ハードディスク内の映像をＤＶＤにダビングすることが行われている。また、パーソナルコンピュータのハードディスク内に記憶された大量データをＤＶＤにバックアップすることも行われている。このような状況下、高速記録が可能なＤＶＤが求められている。
ＤＶＤはこれまで、例えば、ＤＶＤ−Ｒ等の追記型光記録媒体については、書き込み速度が既に１６倍速に到達し、また、１倍速〜１６倍速記録まで１個の規格で収まっている。一方、書換型光記録媒体の場合は、ＤＶＤ−ＲＷについては、１倍速〜２倍速と２倍速〜６倍速との２個の規格が存在する。また、ＤＶＤ−ＲＡＭについては、書き込み速度が２倍速、２倍速〜３倍速及び２倍速〜５倍速の規格に対応する製品が開発されている。さらに、今後も高速化に対応する製品として、６倍速〜１６倍速の規格策定が進められている。
【０００５】
このようなＤＶＤ−ＲＷやＤＶＤ−ＲＡＭは、物理フォーマットが同一であるものの、書き込み速度の線速域が異なるため、市場には数種類の製品が存在している。また、１個の規格に統一された追記型光記録媒体とは異なり、書換型光記録媒体のＤＶＤ−ＲＷの場合は、書き込み速度について２個の規格が存在するため、例えば、１倍速記録のＤＶＤ−ＲＷに対応するドライブでは、６倍速ディスクに記録することができないという問題がある。このような書き込み速度が異なることによる記録互換性が保証されないという問題は、今後、６倍速〜１６倍速の規格策定が進められているＤＶＤ−ＲＡＭについても同様であると考えられる。
【０００６】
本発明は、相変化材料を用いた書換型光記録媒体に関するこのような課題を解決するためになされたものである。
即ち、本発明の目的は、書き込み速度が異なる２種類の光記録媒体における互換性の問題を解決し、幅広い線速域に対応できる光記録媒体を提供することにある。
【課題を解決するための手段】
【０００７】
上述した課題を解決するために、本発明においては、物理フォーマットが同一の２枚のディスクを貼り合わせた両面２層ディスク構造を採用している。
即ち、本発明によれば、所定の物理フォーマットを形成し、第１の書き込み速度情報が格納された第１の基板上に、直接または他の層を介して第１の相変化記録層を設けた第１のディスク基板と、第１の基板と同一の物理フォーマットを形成し、且つ、第１の基板と異なる第２の書き込み速度情報が格納された第２の基板上に、直接または他の層を介して第２の相変化記録層を設けた第２のディスク基板と、第１の相変化記録層及び第２の相変化記録層が内側になるように、第１のディスク基板及び第２のディスク基板を貼り合わせる接着層と、を有することを特徴とする光記録媒体が提供される。
このように、本発明が適用される相変化材料を含む記録層を具えた光記録媒体は、同一の物理フォーマットで形成され、且つ、データの書き込み速度が異なる２枚のディスクを貼り合わせた両面２層ディスク構造を有することにより、追記型光記録媒体と同様に、書き込み速度の規格が異なる場合であっても、１枚のディスクで幅広い線速域に対応することが可能となる。
【０００８】
ここで、互いに貼り合わされた２枚のディスクの物理フォーマットがＤＶＤ−ＲＡＭフォーマットであることが好ましい。
また、同一の物理フォーマットに形成された２枚のディスクのそれぞれに格納された書き込み速度についての速度情報の組み合わせとしては、（１）第１の書き込み速度情報が２倍速〜５倍速に対応し、第２の書き込み速度情報が６倍速〜１６倍速に対応する形態、（２）第１の書き込み速度情報が２倍速〜５倍速に対応し、第２の書き込み速度情報が６倍速〜１２倍速に対応する形態、（３）第１の書き込み速度情報が２倍速〜５倍速に対応し、第２の書き込み速度情報が６倍速〜１０倍速に対応する形態が挙げられる。
さらに、互いに貼り合わされた２枚のディスクの物理フォーマットがＤＶＤ−ＲＷフォーマットで形成することができる。
【０００９】
また、本発明によれば、同一の物理フォーマットを形成し、それぞれ相変化記録層を設けた２枚の基板を貼り合わせた両面２層ディスク型の光記録媒体であって、２枚の基板にそれぞれ格納された書き込み速度情報が異なることを特徴とする光記録媒体が提供される。
ここで、物理フォーマットがＤＶＤ−ＲＡＭ規格に基づき形成された場合は、相変化記録層がＢｉＧｅＴｅ合金を含むことが好ましい。
また、物理フォーマットがＤＶＤ−ＲＡＭ規格に基づき形成された場合は、２枚の基板の中、一方の基板に格納された書き込み速度情報が２倍速〜５倍速に対応し、他方の基板に格納された書き込み速度情報が６倍速〜１６倍速に対応することが好ましい。
【００１０】
また、本発明が適用される光記録媒体を、相変化材料を含む記録層の観点から捉えると、両面２層ディスク型の光記録媒体であって、ＤＶＤ−ＲＡＭの物理フォーマットを形成した基板上に、他の層を介して、２倍速〜５倍速に相当する８．１６（ｍ／ｓ）〜２１．２３（ｍ／ｓ）の情報の書き込み速度に対応する相変化記録層を設けた第１のディスク基板と、第１のディスク基板と同一の物理フォーマットを形成した基板上に、他の層を介して情報の書き込み速度より大きい第２の書き込み速度に対応する相変化記録層を設けた第２のディスク基板と、を有し、第１のディスク基板と第２のディスク基板とを貼り合わせることを特徴とする光記録媒体が提供される。
ここで、第２の書き込み速度が、２倍速〜５倍速に相当する２４．４８（ｍ／ｓ）〜６７．９２（ｍ／ｓ）であることが好ましい。また、相変化記録層がＢｉＧｅＴｅ合金を含むことにより、高速記録が可能になる。
【発明の効果】
【００１１】
本発明の光記録媒体によれば、幅広い線速域に対応することができる。
【発明を実施するための最良の形態】
【００１２】
以下、本発明を実施するための最良の形態（実施の形態）について、図面に基づき説明する。尚、本発明は、以下の実施の形態に限定されるものではなく、その要旨の範囲内で種々変形して実施することができる。また、使用する図面は、本実施の形態を説明するために使用するものであり、実際の大きさを表すものではない。
（光記録媒体）
図１は、本実施の形態が適用される光記録媒体の実施の形態１を説明するための図である。図１には、ＤＶＤ−ＲＡＭ規格バージョン２．０（以下、Ｖｅｒ．２ということがある。）に基づく物理フォーマットで形成され、且つ、データの書き込み速度が異なる２枚のディスク（第１ディスク１０、第２ディスク２０）を貼り合わせた両面２層ディスク構造の光記録媒体１００が示されている。
図１に示すように、光記録媒体１００の第１ディスク（第１のディスク基板）１０は、ＤＶＤ−ＲＡＭ規格Ｖｅｒ．２に基づく物理フォーマットで形成された基板１１（第１の基板）上に、下部誘電体層１２、下部界面層１３、２倍速〜５倍速（８．１６ｍ／ｓ〜２１．２３ｍ／ｓ）（第１の書き込み速度情報）に対応する相変化材料により形成された記録層１４（第１の相変化記録層）、上部界面層１５、上部誘電体層１６、調整層１７、放熱層１８及び保護層１９が順次積層された構造を有する。
【００１３】
ここで、基板１１は、例えば、ポリカーボネート樹脂等の光透過性樹脂により形成され、直径１２０ｍｍ、厚さ０．６ｍｍのディスク状に形成されている。また、基板１１の表面には、トラックピッチ６１５ｎｍ、溝深さ６５ｎｍのトラッキング用のプリグルーブ１１ａが螺旋状に形成されている。プリグルーブ１１ａはグルーブとランドとが交互に連続して繋がるように構成されている。また、記録方式は、１周に１回、ランドとグルーブとが自動的に切り替わるランド／グルーブ記録である。さらに、ランドとグルーブとの間にエンボスピットによるヘッダーが形成されている。
記録層１４に含まれる相変化材料としては、例えば、ＧｅＳｂＴｅ合金、ＢｉＧｅＴｅ合金が挙げられる。本実施の形態１においては、記録層１４は、２倍速〜５倍速に対応するように、Ｂｉ7Ｇｅ43Ｔｅ50（ａｔ．％）ターゲットをＡｒガス雰囲気中でスパッタし、厚さ９ｎｍの膜厚で形成されている。
【００１４】
下部誘電体層１２及び上部誘電体層１６は記録層１４を保護するための層である。下部誘電体層１２は、（ＺｎＳ）80（ＳｉＯ2）20（ｍｏｌ％）をスパッタリングすることにより厚さ１４０ｎｍの膜厚で形成されている。上部誘電体層１６は、同様に（ＺｎＳ）80（ＳｉＯ2）20（ｍｏｌ％）をスパッタリングすることにより厚さ３３ｎｍの膜厚で形成されている。
下部界面層１３は、下部誘電体層１２と記録層１４との間で両層の構成元素が互いに侵入、拡散及び化学反応することを防止するための層である。下部界面層１３は、（Ｃｒ2Ｏ）60（Ｔａ2Ｏ5）40（ｍｏｌ％）をスパッタリングすることにより厚さ２ｎｍの膜厚で形成されている。
上部界面層１５は上部誘電体層１６と記録層１４との間で両層の構成元素が互いに侵入、拡散及び化学反応することを防止するための層である。上部界面層１５は、Ｃｒ2Ｏ3ターゲットをＡｒガス雰囲気中でスパッタし、厚さ２ｎｍの膜厚で形成されている。
調整層１７は、レーザ光Ｌの一部を吸収することにより、記録層１４内の結晶部の吸収率を非結晶部の吸収率より大きくするための層である。調整層１７は、Ｃｒ85（Ｃｒ2Ｏ3）15（ｍｏｌ％）をスパッタリングすることにより厚さ２８ｎｍの膜厚で形成されている。
放熱層１８は情報の記録・再生時に発生する熱を逃がすための層である。放熱層１８は、Ａｇ99Ｃｕ1（ｗｔ．％）をスパッタリングすることにより厚さ１００ｎｍの膜厚で形成されている。
保護層１９は上記の各層を保護するための層である。保護層１９は、紫外線硬化性樹脂により厚さ７μｍの膜厚で形成されている。
【００１５】
次に、第２ディスク（第２のディスク基板）２０は、第１ディスク１０と同様な構造を有し、物理フォーマットとしてＤＶＤ−ＲＡＭ規格Ｖｅｒ．２に基づき形成された基板２１（第２の基板）上に、下部誘電体層２２、下部界面層２３、記録層２４（第２の相変化記録層）、上部界面層２５、上部誘電体層２６、調整層２７、放熱層２８及び保護層２９が順次積層された構造を有する。第２ディスク２０を構成するこれらの各層は、前述した第１ディスク１０を構成する各層とそれぞれ同様な材料を用いて形成される。
ここで記録層２４は、６倍速〜１６倍速（２４．４８ｍ／ｓ〜６７．９２ｍ／ｓ）（第２の書き込み速度情報）に対応するように、Ｂｉ12Ｇｅ38Ｔｅ50（ａｔ．％）ターゲットをＡｒガス雰囲気中でスパッタし、厚さ９ｎｍの膜厚で形成されている。
また、放熱層２８は、Ａｇ99Ｃｕ1（ｗｔ．％）をスパッタリングすることにより厚さ１５０ｎｍの膜厚で形成されている。
【００１６】
図１に示すように、第１ディスク１０と第２ディスク２０とは、接着層１１０を介してそれぞれの保護層１９と保護層２９とが対向するように貼り合わされ、両面２層ディスク構造の光記録媒体１００を構成している。接着層１１０は、遅行性型接着剤を保護層１９と保護層２９とにそれぞれ塗布して形成し、紫外線照射後に加圧して第１ディスク１０と第２ディスク２０とを貼り合わせた。
【００１７】
図２は、第１ディスク１０の記録領域Ｒを説明するための図である。尚、第２ディスク２０も第１ディスク１０と同様な記録領域Ｒが構成されている。
図２に示すように、第１ディスク１０の記録領域Ｒは、ディスク最内周側に設けられる記録情報管理領域Ｒ−Ｉｎｆｏを有している。この記録情報管理領域Ｒ−Ｉｎｆｏは、書き込み速度が２倍速〜５倍速に対応する速度情報（第１の書き込み速度情報）を格納している。また、記録領域Ｒは、記録情報管理領域Ｒ−Ｉｎｆｏの外側に設けられるリードイン領域Ｒ−ｉｎと、リードイン領域Ｒ−ｉｎの外側に設けられるデータ領域ＤＡとを有している。さらに、記録領域Ｒは、データ領域ＤＡの外側に設けられるリードアウト領域Ｒ−ｏｕｔを有している。データ領域ＤＡは、３５個の複数のゾーンに分割されている。
尚、第２ディスク２０も第１ディスク１０と同様な記録領域Ｒが構成されており、第２ディスク２０の記録情報管理領域Ｒ−Ｉｎｆｏに、書き込み速度が６倍速〜１６倍速に対応する速度情報（第２の書き込み速度情報）が格納されている。
【００１８】
図３は、第１ディスク１０のデータ領域ＤＡを説明するための図である。図３に示すように、物理フォーマットがＤＶＤ−ＲＡＭ規格Ｖｅｒ．２に基づき形成された第１ディスク１０のデータ領域ＤＡは、半径方向に同心円状に３５個のゾーン（ゾーン１，ゾーン２，ゾーン３・・・ゾーン３３，ゾーン３４，ゾーン３５）に分割されている。各ゾーン内では回転数が一定となるＺＣＬＶ（Ｚｏｎｅ  Ｃｏｎｓｔａｎｔ  Ｌｉｎｅａｒ  Ｖｅｌｏｃｉｔｙ）方式が採用されている。また、各ゾーンには、ランド／グルーブ記録が行われる複数個のセクターＳｅによって区切られ、セクターＳｅの先頭部分には、エンボスピットによるヘッダーＨｄが形成されている。また、最内周のゾーン１では１トラックあたりのセクターは１７個、最外周のゾーン３５ではセクターは４１個である（ＤＶＤ−ＲＡＭ規格Ｖｅｒ．２）。
【００１９】
図４は、第１ディスク１０のセクターＳｅのフォーマットを説明するための図である。図４に示すように、セクターＳｅは、先頭部分に形成されたヘッダー領域ＨＡと、ミラー領域ＭＡ、２０４８バイトの記録領域ＲＡとに分割され、これらによって１セクター（１Ｓｅ）が構成される。さらに、ヘッダー領域ＨＡは４つの領域（第１領域〜第４領域）に分割され、グルーブＧとランドＬの間に存在する。第１領域と第２領域は、ランドトラックから見て、ランドトラックの外周側に配置され、第３領域と第４領域はランドトラックの内周側に配置されている。ビームスポットＢＳは、ランド／グルーブのウォブルＷとヘッダー領域ＨＡに形成されたエンボスピットよってアドレスを検出する。
【００２０】
次に、実施の形態１において調製した光記録媒体１００の特性評価（繰返し書換え試験）を、所定の情報記録装置を用いて以下のとおり行った。
情報記録装置は、情報の記録再生時に光記録媒体１００に光照射するための半導体レーザ（波長６５５ｎｍ、開口数０．６）と、その半導体レーザの出力を制御するためのレーザードライバと、記録情報に従って生成された記録パルスを発生させるための波形発生装置と、波形等価回路と、２値化回路とを備えている。
情報の記録は、８−１６変調を用い、第１ディスク１０の記録層１４及び第２ディスク２０の記録層２４にマークエッジ記録方式の記録マークを形成した。記録マークの最短マーク長は０．４２μｍとした。また、情報として３Ｔ〜１４Ｔのランダムパターンを記録し、記録されたランダムパターンを再生した。
書き込み速度が２倍速〜５倍速に対応する速度情報が格納されている第１ディスク１０の記録再生は、２倍速に相当する線速８．２ｍ／ｓで行った。また、書き込み速度が６倍速〜１６倍速に対応する速度情報が格納されている第２ディスク２０の記録は１６倍速に相当する線速６７．９ｍ／ｓで行い、記録された情報の再生は６倍速に相当する線速２４．５ｍ／ｓで行った。
【００２１】
この結果、書き込み速度が２倍速〜５倍速に対応する速度情報が格納されている第１ディスク１０と書き込み速度が６倍速〜１６倍速に対応する速度情報が格納されている第２ディスク２０とは、ともにランド及びグルーブのジッター（ｊｉｔｔｅｒ）は、仕様値の９％以下であった。
以上説明したように、実施の形態１の光記録媒体１００は、ＤＶＤ−ＲＡＭ規格Ｖｅｒ．２に基づく物理フォーマットで形成され、且つ、データの書き込み速度が異なる２枚のディスクを貼り合わせた両面２層ディスク構造を有することにより、１枚のディスクで２倍速〜１６倍速の幅広い線速域に対応することが可能となる。この結果、書き込み速度が異なる書換型光記録媒体の記録互換性が保証される。
【００２２】
尚、実施の形態１では、ＤＶＤ−ＲＡＭ規格Ｖｅｒ．２に基づく物理フォーマットで形成された２枚のディスクを貼り合わせた両面２層ディスク構造について説明したが、ＤＶＤ−ＲＷ規格に基づく物理フォーマットで形成された２枚のディスクを貼り合わせた両面２層ディスク構造とすることも可能である。
この場合、ＤＶＤ−ＲＷ規格に基づく物理フォーマットで形成され、記録情報管理領域Ｒ−Ｉｎｆｏに、書き込み速度が１倍速〜２倍速（３．４９ｍ／ｓ〜６．９８ｍ／ｓ）に対応する速度情報を格納した第１のディスクと、同様にＤＶＤ−ＲＷ規格に基づく物理フォーマットで形成され、記録情報管理領域Ｒ−Ｉｎｆｏに、書き込み速度が２倍速〜６倍速（６．９８ｍ／ｓ〜２０．９４ｍ／ｓ）に対応する速度情報を格納した第２のディスクとをそれぞれ調製し、これらの第１のディスクと第２のディスクとを、接着層を介して貼り合わせ、両面２層ディスク構造の光記録媒体を構成することができる。
【００２３】
尚、図示しないが、ＤＶＤ−ＲＷ規格に基づく物理フォーマットの第１のディスク及び第２のディスクは、通常、以下のようにして形成される。即ち、ポリカーボネート樹脂等を用いて、直径４５．０ｍｍ〜直径１１７．０ｍｍの範囲に、ＤＶＤ−ＲＷフォーマットに基づきリードインデータ、アドレス、トラックサーボ用グルーブ等を形成した基板を形成する。基板は、外径１２０ｍｍ、内径１５ｍｍ、厚さ０．６ｍｍである。また、トラックピッチ７４０ｎｍのトラッキング用のプリグルーブが螺旋状に形成されている。
次に、基板の信号面にスパッタ法により直径４０ｍｍ〜直径１１９ｍｍの範囲に、透明誘電体層、相変化材料からなる記録層、透明誘電体層、Ａｌ合金からなる反射層を順次積層する。次に、反射層上にスピンコート法により約１０μｍの厚さで紫外線硬化性樹脂を塗布し、紫外線照射により硬化させて、保護膜層を形成する。
【００２４】
図５は、本実施の形態が適用される光記録媒体の実施の形態２を説明するための図である。図５には、実施の形態１と同様に、ＤＶＤ−ＲＡＭ規格Ｖｅｒ．２に基づく物理フォーマットで形成され、且つ、データの書き込み速度が２倍速〜５倍速に対応する速度情報が格納された第１ディスク１０と、データの書き込み速度が６倍速〜１２倍速に対応する速度情報が格納された第２ディスク３０とを貼り合わせた両面２層ディスク構造の光記録媒体２００が示されている。
図５に示すように、光記録媒体２００における第１ディスク１０は、実施の形態１の光記録媒体１００における第１ディスク１０と同一構造なので説明を省略する。また、第２ディスク３０は、ＤＶＤ−ＲＡＭ規格Ｖｅｒ．２に基づく物理フォーマットで形成された基板３１上に、下部誘電体層３２、下部界面層３３、６倍速〜１２倍速（２４．４８ｍ／ｓ〜５０．９４ｍ／ｓ）に対応する相変化材料により形成された記録層３４、上部界面層３５、上部誘電体層３６、調整層３７、放熱層３８及び保護層３９が順次積層された構造を有する。尚、基板３１の表面には、トラックピッチ６１５ｎｍ、溝深さ６５ｎｍのトラッキング用のプリグルーブ３１ａが螺旋状に形成されている。
【００２５】
第２ディスク３０を構成するこれらの各層は、前述した第１ディスク１０を構成する各層とそれぞれ同様な材料を用いて形成される。
ここで記録層３４は、６倍速〜１２倍速に対応するように、Ｂｉ10Ｇｅ40Ｔｅ50（ａｔ．％）ターゲットをＡｒガス雰囲気中でスパッタし、厚さ９ｎｍの膜厚で形成されている。また、放熱層３８は、Ａｇ99Ｃｕ1（ｗｔ．％）をスパッタリングすることにより厚さ１５０ｎｍの膜厚で形成されている。
図５に示すように、第１ディスク１０と第２ディスク３０とは、接着層１２０を介してそれぞれの保護層１９と保護層３９とが対向するように貼り合わされ、両面２層ディスク構造の光記録媒体２００を構成している。
【００２６】
次に、実施の形態１と同様に、光記録媒体２００の特性評価（繰返し書換え試験）を、所定の情報記録装置を用いて行った。その結果、書き込み速度が２倍速〜５倍速に対応する速度情報が格納されている第１ディスク１０と書き込み速度が６倍速〜１２倍速に対応する速度情報が格納されている第２ディスク３０とは、ともにランド及びグルーブのジッター（ｊｉｔｔｅｒ）は、仕様値の９％以下であった。
【００２７】
図６は、本実施の形態が適用される光記録媒体の実施の形態３を説明するための図である。図６には、実施の形態１と同様に、ＤＶＤ−ＲＡＭ規格Ｖｅｒ．２に基づく物理フォーマットで形成され、且つ、データの書き込み速度が２倍速〜５倍速に対応する速度情報が格納された第１ディスク１０と、データの書き込み速度が６倍速〜１０倍速に対応する速度情報が格納された第２ディスク４０とを貼り合わせた両面２層ディスク構造の光記録媒体３００が示されている。
図６に示すように、光記録媒体３００における第１ディスク１０は、実施の形態１の光記録媒体１００における第１ディスク１０と同一構造なので説明を省略する。また、第２ディスク４０は、ＤＶＤ−ＲＡＭ規格Ｖｅｒ．２に基づく物理フォーマットで形成された基板４１上に、下部誘電体層４２、下部界面層４３、６倍速〜１０倍速（２４．４８ｍ／ｓ〜４２．４５ｍ／ｓ）に対応する相変化材料により形成された記録層４４、上部界面層４５、上部誘電体層４６、調整層４７、放熱層４８及び保護層４９が順次積層された構造を有する。尚、基板４１の表面には、トラックピッチ６１５ｎｍ、溝深さ６５ｎｍのトラッキング用のプリグルーブ４１ａが螺旋状に形成されている。
【００２８】
第２ディスク４０を構成するこれらの各層は、前述した第１ディスク１０を構成する各層とそれぞれ同様な材料を用いて形成される。
ここで記録層４４は、６倍速〜１０倍速に対応するように、Ｂｉ10Ｇｅ40Ｔｅ50（ａｔ．％）ターゲットをＡｒガス雰囲気中でスパッタし、厚さ９ｎｍの膜厚で形成されている。また、放熱層４８は、Ａｇ99Ｃｕ1（ｗｔ．％）をスパッタリングすることにより厚さ１００ｎｍの膜厚で形成されている。
図６に示すように、第１ディスク１０と第２ディスク４０とは、接着層１３０を介してそれぞれの保護層１９と保護層４９とが対向するように貼り合わされ、両面２層ディスク構造の光記録媒体３００を構成している。
【００２９】
次に、実施の形態１と同様に、光記録媒体３００の特性評価（繰返し書換え試験）を、所定の情報記録装置を用いて行った。その結果、書き込み速度が２倍速〜５倍速に対応する速度情報が格納されている第１ディスク１０と書き込み速度が６倍速〜１０倍速に対応する速度情報が格納されている第２ディスク４０とは、ともにランド及びグルーブのジッター（ｊｉｔｔｅｒ）は、仕様値の９％以下であった。
【００３０】
以上説明したように、本発明によれば、同一規格の物理フォーマットで形成され、且つ、データの書き込み速度が異なる２枚のディスクを貼り合わせた両面２層ディスク構造を有することにより、線速域に互換性がないドライブを用いる場合に、１枚のディスクで幅広い線速域に対応することが可能となる。例えば、ＤＶＤ−ＲＡＭフォーマットの場合は、２倍速〜５倍速に対応した第１のディスクと、６倍速〜１６倍速に対応した第２のディスクとを貼り合わせ、１枚のディスクでＤＶＤ−ＲＡＭフォーマットの記録に対応する市場のすべてのドライブにより記録再生が可能となり、互換性が向上したディスクが提供される。
【図面の簡単な説明】
【００３１】
【図１】本実施の形態が適用される光記録媒体の実施の形態１を説明するための図である。
【図２】第１ディスクの記録領域を説明するための図である。
【図３】第１ディスクのデータ領域を説明するための図である。
【図４】第１ディスクのセクターのフォーマットを説明するための図である。
【図５】本実施の形態が適用される光記録媒体の実施の形態２を説明するための図である。
【図６】本実施の形態が適用される光記録媒体の実施の形態３を説明するための図である。
【符号の説明】
【００３２】
１０…第１ディスク、１１，２１，３１，４１…基板、１１ａ，２１ａ，３１ａ，４１ａ…プリグルーブ、１２，２２，３２，４２…下部誘電体層、１３，２３，３３，４３…下部界面層、１４，２４，３４，４４…記録層、１５，２５，３５，４５…上部界面層、１６，２６，３６，４６…上部誘電体層、１７，２７，３７，４７…調整層、１８，２８，３８，４８…放熱層、１９，２９，３９，４９…保護層、２０，３０，４０…第２ディスク、１００，２００，３００…光記録媒体、１１０，１２０，１３０…接着層
【図１】
2006338800.tif 000003
【図２】
2006338800.tif 000004
【図３】
2006338800.tif 000005
【図４】
2006338800.tif 000006
【図５】
2006338800.tif 000007
【図６】
2006338800.tif 000008